(57)【特許請求の範囲】
【請求項１】
夜間に見えるバブル液剤であって、
その中に約６７％〜８９％の水があり、
８％〜２５％の界面活性剤（ｓｕｒｆａｃｅ  ａｃｔｉｖｅ  ａｇｅｎｔ）があり、バブルの生じることを提供とし、
２％のグリセリン（ｇｌｙｃｅｒｉｎ）があり、湿潤及び耐凍結作用を提供とし、及び１％〜６％の蛍光増白剤（ｆｌｕｏｒｅｓｃｅｎｔ  ｂｒｉｇｈｔｅｎｉｎｇ  ａｇｅｎｔ）があり、バブル液自体及びそれを吹いて作られたバブルがより暗い環境の中に、不可視の紫外線又は赤外線等の光源で照射する場合、蛍光を発光することを特徴とする、
夜間に見える発光バブル液剤。
【請求項２】
請求項１に記載の夜間に見える発光バブル液剤において、
その蛍光増白剤（ｆｌｕｏｒｅｓｃｅｎｔ  ｂｒｉｇｈｔｅｎｉｎｇ  ａｇｅｎｔ）は、一種のジアミノ・スチルベン・ジスルホニック酸誘導体（Ｄｉａｍｉｎｏ−Ｓｔｉｂｅｎｅ  Ｄｓｕｌｐｈｏｎｉｃ  Ａｃｉｄ  Ｄｅｒｉｖａｔｉｖｅｓ」であることを特徴とする、
夜間に見える発光バブル液剤。
【請求項３】
請求項１に記載の夜間に見える発光バブル液剤において、
その外観は透明又は半透明状を呈するものであることを特徴とする、
夜間に見える発光バブル液剤。
【請求項４】
請求項１に記載の夜間に見える発光バブル液剤において、
その中に０．２％〜０．８％の粘度増加剤を含んだことを特徴とする、
夜間に見える発光バブル液剤。
【請求項５】
請求項１に記載の夜間に見える発光バブル液剤において、
その中に特定色の染料を加入して、夜間に見える発光バブル液剤を作ることができることを特徴とする、
夜間に見える発光バブル液剤。
【請求項６】
請求項５に記載の夜間に見える発光バブル液剤において、
その染料は、一種の液体染料であることを特徴とする、
夜間に見える発光バブル液剤。
【請求項７】
請求項５に記載の夜間に見える発光バブル液剤において、
それは、５％〜２０％の特定な染料及び８０％〜９５％の夜間に見える発光バブル液剤を混合して、特定色のある夜間に見える発光バブル液剤を作るものであることを特徴とする、
夜間に見える発光バブル液剤。
【発明の詳細な説明】
【０００１】
【発明の属する技術分野】
本発明は、一種のバブル玩具に関するバブル液剤である。特に一種のバブル液剤を提供するものである。そのバブル液自体及びそれを吹いて作られたバブルがより暗い環境の中に、不可視の紫外線又は赤外線等の光源で照射する場合、青色から紫色までの可視蛍光を発光することで、バブル液剤の拡散した空間及びその面白さを増加できるものである。
【０００２】
【従来の技術】
従来の技術としては、Ｂｌａｃｋ  Ｌｉｇｈｔ  Ｂｕｂｂｌｅｓを作るバブル液剤の中に、７５％〜９０％の界面活性剤（ｓｕｒｆａｃｅ  ａｃｔｉｖｅ  ａｇｅｎｔ）及び１０％〜２５％の蛍光剤（ｆｌｕｏｒｅｓｃｅｎｔ  ａｇｅｎｔ）で構成されることで、暗い環境の中に、外よりの不可視の紫外線、又は、赤外線等の光源で照射する状況で見る場合、そのバブルを発光させるものである（ｔｏ  ｐｒｏｖｉｄｅ  ｉｌｌｕｍｉｎａｔｉｏｎ  ｏｆ  ｔｈｅ  ｂｕｂｂｌｅｓ  ｗｈｅｎ  ｖｉｅｗｅｄ  ｉｎ  ｔｈｅ  ｄａｒｋ  ａｎｄ  ｕｎｄｅｒ  ａｎ  ｅｘｔｅｒｎａｌ  ｓｏｕｒｃｅ  ｏｆ  ｉｎｖｉｓｉｂｌｅ  ｕｌｔｒａｖｉｏｌｅｔ  ｏｒ  ｉｎｆｒａｒｅｄ  ｒａｄｉａｔｉｏｎ）。
【０００３】
【本発明が解決しようとする課題】
上述したように配含されたバブル液剤（ｌｉｑｕｉｄ  ｂｕｂｂｌｅ  ｓｏｌｕｔｉｏｎ）には、下記のような問題点があった。
＜イ＞その方法は、より多い量（１０％〜２５％）の蛍光剤（ｆｌｕｏｒｅｓｃｅｎｔ  ａｇｅｎｔ）が必要なので、製造コストが高くなる。
＜ロ＞その中での蛍光剤（ｆｌｕｏｒｅｓｃｅｎｔ  ａｇｅｎｔ）の占めた比率が高いため、相対的にバブル液剤（ｌｉｑｕｉｄ  ｂｕｂｂｌｅ  ｓｏｌｕｔｉｏｎ）の表面張力に影響するので、バブル（ｂｕｂｂｌｅ）を作る難しさも高くなる。
＜ハ＞その映いて作られたバブルの表面張力がより小さいし、そのバブル（ｂｕｂｂｌｅ）より発光した蛍光は均等的にバブル（ｂｕｂｂｌｅ）の本体に分布されたので、はっきりしないボールのような霧状の蛍光を呈するため、外輪での明るい効果が少ない。
＜ニ＞その作られたバブル液剤（ｌｉｑｕｉｄ  ｂｕｂｂｌｅ  ｓｏｌｕｔｉｏｎ）は、不透明の乳化状を呈するので、特定色のあるバブル（ｐｒｏｄｕｃｅ  ａ  ｐａｒｔｉｃｕｌａｒ  ｃｏｌｏｒ  ｄｉｓｐｅｒｓｉｏｎ）を作るため、特定色の顔料分散体（ａ  ｐａｒｔｉｃｕｌａｒ  ｐｉｇｍｅｎｔ  ｂｕｂｂｌｅ  ｓｏｌｕｔｉｏｎ）を加入したため、衣服、地面又はその他のものにバブル（ｂｕｂｂｌｅ）につけられた場合、その色がはっきり残されたので、人や周辺環境に迷惑をかけるばかりである。
【０００４】
【本発明の目的】
本発明は、一種の新しい配合方法で作られた夜間に見える発光バブル液剤を提供するものである。
【０００５】
【課題を解決するための手段】
上記目的を達成するために、本発明は、夜間に見えるバブル液剤であって、その中に約６７％〜８９％の水があり、８％〜２５％の界面活性剤（ｓｕｒｆａｃｅ  ａｃｔｉｖｅ  ａｇｅｎｔ）があり、バブルの生じることを提供とし、２％のグリセリン（ｇｌｙｃｅｒｉｎ）があり、湿潤及び耐凍結作用を提供とし、及び１％〜６％の蛍光増白剤（ｆｌｕｏｒｅｓｃｅｎｔ  ｂｒｉｇｈｔｅｎｉｎｇ  ａｇｅｎｔ）があり、バブル液自体及びそれを吹いて作られたバブルがより暗い環境の中に、不可視の紫外線又は赤外線等の光源で照射する場合、蛍光を発光することを特徴とする、夜間に見える発光バブル液剤である。
【０００６】
ここで、その蛍光増白剤（ｆｌｕｏｒｅｓｃｅｎｔ  ｂｒｉｇｈｔｅｎｉｎｇ  ａｇｅｎｔ）は、一種のジアミノ・スチルベン・ジスルホニック酸誘導体（Ｄｉａｍｉｎｏ−Ｓｔｉｂｅｎｅ  Ｄｓｕｌｐｈｏｎｉｃ  Ａｃｉｄ  Ｄｅｒｉｖａｔｉｖｅｓ）であることが特徴である。
また、その外観は透明又は半透明状を呈するものであることが特徴である。
また、その中に０．２％〜０．８％の粘度増加剤を含んだことが特徴である。
また、その中に特定色の染料を加入して、夜間に見える発光バブル液剤を作ることができることが特徴である。
また、その染料は、一種の液体染料であることが特徴である。
更に、それは、５％〜２０％の特定な染料及び８０％〜９５％の夜間に見える発光バブル液剤を混合して、特定色のある夜間に見える発光バブル液剤を作るものであることが特徴である。
【０００７】
【特長】
本発明に係る夜間に見える発光バブル液剤の特長は、下記の通りである。
＜イ＞蛍光増白剤（ｆｌｕｏｒｅｓｃｅｎｔ  ｂｒｉｇｈｔｅｎｉｎｇ  ａｇｅｎｔ）は、１％〜６％程度の低い含有量しか必要ではないので、製造コストがより低いのである。
＜ロ＞その中での蛍光増白剤（ｆｌｕｏｒｅｓｃｅｎｔ  ｂｒｉｇｈｔｅｎｉｎｇ  ａｇｅｎｔ）の含有量がより低いので、バブル液剤の表面張力への影響が少ないため、バブル（ｂｕｂｂｌｅ）の作る成功率が高く保有できるのである。
＜ハ＞その吹いて作られたバブルの表面張力がより大きいため、そのバブルがあまり破らない以外、そのバブル（ｂｕｂｂｌｅ）より発光した蛍光はその外輪の表面に集中するので、ベターの明るい効果を有するのである。
＜ニ＞その作られたバブル液剤は、透明状又は半透明状を呈するので、各種の特定色の染料（ｄｙｅ）を加入した後、又透明又は半透明の液体状を保有しているので、衣服、地面又はその他のものにバブル（ｂｕｂｂｌｅ）につけられた場合、その染料の残りがより少なくなり、その色もはっきりとしないのである。
＜ホ＞本発明のバブル液体の成分の中に２％のグリセリン（ｇｌｙｃｅｒｉｎ）を含んだので、湿潤（ｗｅｔｔｉｎｇ）の作用があるため、界面活性剤（ｓｕｒｆａｃｅ  ａｃｔｉｖｅ  ａｇｅｎｔ）と染料の粒子の分散に役に立つし、耐凍結作用も有するので、バブル液剤の使用できる温度範囲を拡大できるのである。
【０００８】
【発明の実施の形態】
以下、本発明に係る夜間に見える発光バブル液剤の成分及び作用を詳細に説明する。
【０００９】
本発明の夜間に見える発光バブル液剤の中には、約６７％〜８９％の水があり、８％〜２５％の界面活性剤（ｓｕｒｆａｃｅ  ａｃｔｉｖｅ  ａｇｅｎｔ）があり、２％のグリセリン（ｇｌｙｃｅｒｉｎ）があり、１％〜６％の蛍光増白剤（ｆｌｕｏｒｅｓｃｅｎｔ  ｂｒｉｇｈｔｅｎｉｎｇ  ａｇｅｎｔ）があり、上述の水は、水質処理を行なって、菌を除去して合格した用水である。
【００１０】
上述の界面活性剤（ｓｕｒｆａｃｅ  ａｃｔｉｖｅ  ａｇｅｎｔ）は、一般のバブルを作るために使用するバブルを起こさせる液体で、その主要な成分は液体ソープである。
【００１１】
上述の２％のグリセリン（ｇｌｙｃｅｒｉｎ）は、湿潤（ｗｅｔｔｉｎｇ）の作用があるため、界面活性剤（ｓｕｒｆａｃｅ  ａｃｔｉｖｅ  ａｇｅｎｔ）の粒子の分散に役に立つし、耐凍結作用も有するので、バブル液剤の使用できる温度範囲を拡大できるのである。
【００１２】
上述の蛍光増白剤（ｆｌｕｏｒｅｓｃｅｎｔ  ｂｒｉｇｈｔｅｎｉｎｇ  ａｇｅｎｔ）は、一種の構造は「ジアミノ・スチルベン・ジスルホニック酸誘導体（Ｄｉａｍｉｎｏ−Ｓｔｉｂｅｎｅ  Ｄｓｕｌｐｈｏｎｉｃ  Ａｃｉｄ  Ｄｅｒｉｖａｔｉｖｅｓ）を称する蛍光増白剤（ｆｌｕｏｒｅｓｃｅｎｔ  ｂｒｉｇｈｔｅｎｉｎｇ  ａｇｅｎｔ）である。
その外観は、薄茶色の液体を呈し、そのイオン性はアニォン（ａｎｉｏｎ）性で、比重は２０℃時に１．１〜１．２５で、ＰＨ値２０℃の時は７〜９で、固くなるポイントはａｐｐｒｏｘ−４℃、沸点はａｐｐｒｏｘ  １０３℃である。それは安定性が良く、反応性、引火性及び爆発性がない特長を有する。又、低い含有量の蛍光増白剤（ｆｌｕｏｒｅｓｃｅｎｔ  ｂｒｉｇｈｔｅｎｉｎｇ  ａｇｅｎｔ）が水及び界画活性剤（ｓｕｒｆａｃｅ  ａｃｔｉｖｅ  ａｇｅｎｔ）等に薄められた後、毒性及び皮膚への刺激性が殆ど無いのである。
【００１３】
上述の成分を十分に攪拌して混合したことで作られた夜間に見える発光バブル液剤は、その外観は、透明又は半透明の液体状を呈するので、より暗い環境の中に不可視の紫外線又は赤外線等の光源で照射することで、青色から紫色までの可視蛍光を発光することができる。
【００１４】
このバブル液体を使用してバブルを作る場合、そのバブルがより暗い環境の中に不可視の紫外線又は赤外線等の光源で照射することで、青色から紫色までの可視蛍光を発光することもできる。本発明のバブル液体で作られたバブルは、より大きい表面張力があるので、その発光した蛍光は、バブルの外輪に集中するので、ベターの明るい効果を得られるものである。
【００１５】
なお、本発明では、２％〜０．８％の粘度増加剤を加入して、上述のバブル液体の粘度を増加させることで、バブルを吹いて作る場合の成功率を高めることができる。
又、特定色のバブルを作るために、本発明では、５％〜２０％の特定な染料（ｄｙｅ）と８０％〜９５％の夜間に見える発光バブル液剤とを混合して、特定色のある夜間に見える発光バブル液剤を作ることができる。
【００１６】
上述の染料（ｄｙｅ）は一種の液体染料であり、前述のような湿潤（ｗｅｔｔｉｎｇ）作用のあるグリセリン（ｇｌｙｃｅｒｉｎ）は、粒子分散に役に立つのである。
混含して作られた特定色のある夜間に見えるバブル液剤は、透明又は半透明の液体状を呈するので、そのバブル液剤及びそれを吹いて作られたバブルは、より暗い環境の中に不可視の紫外線又は赤外緑等の光源で照射することで、特定色の蛍光を発光することができる。
【００１７】
又、この特定色のある夜間に見えるバブル液剤は、透明又は半透明の液体状を呈するので、衣服、地面叉はその他のものにバブル（ｂｕｂｂｌｅ）につけられた場合、その染料の残りがより少なく、はっきりもしないのである。
【００１８】
【発明の効果】
本発明は、より少ない含有量の蛍光増白剤（ｆｌｕｏｒｅｓｃｅｎｔ  ｂｒｉｇｈｔｅｎｉｎｇ  ａｇｅｎｔ）を使用したので、製造コストが低下できる。また、それを吹いて作られたバブルがベターの明るい効果を得られるので、十分の進歩性を備えるものである。